【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
複数の射出位置から光を射出可能に構成された光射出手段と、 
前記光射出手段から射出された光が被検体に照射されることにより発生する音響波を電気信号に変換する変換手段と、 
前記複数の射出位置に対応する、前記光射出手段から射出された光のビームプロファイルに関する情報を取得するビームプロファイル取得手段と、
前記複数の射出位置に対応するビームプロファイルに関する情報と、前記電気信号とに基づいて前記被検体の特性情報を取得する特性情報取得手段と、 
を有する
ことを特徴とする被検体情報取得装置。
【請求項２】
前記特性情報取得手段は、
前記複数の射出位置に対応するビームプロファイルに関する情報を用いて、前記複数の射出位置から射出された光の前記被検体内の光フルエンス分布に関する情報を取得し、 
前記光フルエンス分布に関する情報と前記電気信号とに基づいて前記被検体の特性情報を取得する
ことを特徴とする請求項１に記載の被検体情報取得装置。
【請求項３】
前記光射出手段は、
光源と、
前記光源からの光を被検体まで導く照射光学系と、
前記複数の射出位置に前記照射光学系を移動させる移動部と、
を含む
ことを特徴とする請求項１または２に記載の被検体情報取得装置。
【請求項４】
前記照射光学系は、前記光源からの光を、前記光源から前記照射光学系の射出端まで進行方向を変化させながら導き、
前記光の断面のビームプロファイルは、前記進行方向に応じて変化する、
ことを特徴とする請求項３に記載の被検体情報取得装置。
【請求項５】
前記照射光学系は、
光を伝搬可能に内部が中空に構成された複数の導波管と、
前記複数の導波管を接続するとともに、光の伝搬方向を曲げるミラーを有する複数の関節と、によって形成されるものであり、
前記複数の関節のうち少なくとも一部の関節は、当該一部の関節に接続されている前記導波管を軸として回転可能に構成されている
ことを特徴とする請求項３に記載の被検体情報取得装置。
【請求項６】
前記照射光学系は、射出位置に応じて形状が定まるものであり、
前記複数の射出位置で射出された光のビームプロファイルは前記照射光学系の形状に応じて定まるものである
ことを特徴とする請求項３に記載の被検体情報取得装置。
【請求項７】
ビームプロファイルに関する情報が記憶された記憶手段を更に有し、
前記ビームプロファイル取得手段は、前記記憶手段に記憶されたビームプロファイルに関する情報を参照することにより、前記複数の射出位置に対応するビームプロファイルに関する情報を取得する
ことを特徴とする請求項１に記載の被検体情報取得装置。
【請求項８】
前記記憶手段には、前記複数の射出位置に対応するビームプロファイルに関する情報が記憶されており、
前記ビームプロファイル取得手段は、前記記憶手段に記憶された、前記複数の射出位置に対応するビームプロファイルに関する情報を読み出すことにより、前記複数の射出位置に対応するビームプロファイルに関する情報を取得する
ことを特徴とする請求項７に記載の被検体情報取得装置。
【請求項９】
前記ビームプロファイル取得手段は、前記記憶手段に記憶されたビームプロファイルに関する情報を補間することにより、前記複数の射出位置に対応するビームプロファイルに関する情報を取得する
ことを特徴とする請求項７に記載の被検体情報取得装置。
【請求項１０】
射出位置とビームプロファイルとの関係式または関係テーブルが記憶された記憶手段を更に有し、
前記ビームプロファイル取得手段は、前記記憶手段に記憶された前記関係式または前記関係テーブルを参照することにより、前記複数の射出位置に対応するビームプロファイルに関する情報を取得する
ことを特徴とする請求項１に記載の被検体情報取得装置。
【請求項１１】
射出位置とビームプロファイルの変動量との関係式または関係テーブルが記憶された記憶手段を更に有し、
前記ビームプロファイル取得手段は、前記記憶手段に記憶された前記関係式または前記関係テーブルを参照することにより、前記複数の射出位置に対応するビームプロファイルに関する情報を取得する
ことを特徴とする請求項１に記載の被検体情報取得装置。
【請求項１２】
前記ビームプロファイル取得手段は、基準の射出位置から射出された基準ビームプロファイルに関する情報を取得し、前記基準ビームプロファイルと前記記憶手段に記憶された前記関係式または前記関係テーブルとに基づいて前記複数の射出位置に対応するビームプロファイルに関する情報を取得する
ことを特徴とする請求項１１に記載の被検体情報取得装置。
【請求項１３】
前記光射出手段から光が射出されたときの射出位置に関する情報を取得する位置取得手段を更に有し、
前記ビームプロファイル取得手段は、前記射出位置に関する情報を用いて、前記複数の射出位置に対応するビームプロファイルに関する情報を取得する
ことを特徴とする請求項１に記載の被検体情報取得装置。
【請求項１４】
前記変換手段は、前記被検体からの音響波を前記変換手段まで伝搬させるマッチング剤を保持可能である
請求項１から１３のいずれか１項に記載の被検体情報取得装置。
【請求項１５】
前記変換手段は、複数の音響波受信素子を有する
請求項１から１４のいずれか１項に記載の被検体情報取得装置。
【請求項１６】
前記複数の音響波受信素子の最も受信感度の高い方向が集まるように前記複数の音響波受信素子が配置される
請求項１５に記載の被検体情報取得装置。
【請求項１７】
複数の射出位置からの光が被検体に照射されることにより発生する音響波に由来する電気信号を用いて前記被検体の特性情報を取得するための信号処理方法であって、
前記複数の射出位置に対応する、前記複数の射出位置から射出された光のビームプロファイルに関する情報を取得する工程と、
前記複数の射出位置に対応するビームプロファイルに関する情報と、前記電気信号とに基づいて前記特性情報を取得する工程と、 
を有する
ことを特徴とする信号処理方法。
【請求項１８】
請求項１７に記載の信号処理方法をコンピュータに実行させるためのプログラム。
【手続補正２】
【補正対象書類名】明細書
【補正対象項目名】０００６
【補正方法】変更
【補正の内容】
【０００６】
上記課題を達成するため、本発明は、以下の構成を採用する。すなわち、
複数の射出位置から光を射出可能に構成された光射出手段と、 
前記光射出手段から射出された光が被検体に照射されることにより発生する音響波を電気信号に変換する変換手段と、 
前記複数の射出位置に対応する、前記光射出手段から射出された光のビームプロファイルに関する情報を取得するビームプロファイル取得手段と、
前記複数の射出位置に対応するビームプロファイルに関する情報と、前記電気信号とに基づいて前記被検体の特性情報を取得する特性情報取得手段と、 
を有する被検体情報取得装置である。
本発明はまた、以下の構成を採用する。すなわち、
複数の射出位置からの光が被検体に照射されることにより発生する音響波に由来する電気信号を用いて前記被検体の特性情報を取得するための信号処理方法であって、
前記複数の射出位置に対応する、前記複数の射出位置から射出された光のビームプロファイルに関する情報を取得する工程と、
前記複数の射出位置に対応するビームプロファイルに関する情報と、前記電気信号とに基づいて前記特性情報を取得する工程と、 
を有する信号処理方法である。
本発明はまた、以下の構成を採用する。すなわち、
上記の信号処理方法をコンピュータに実行させるためのプログラムである。